(57)【要約】【課題】施工時の配線作業が容易で且つケースが分電盤のボックスから外れてしまう不具合を防ぐことができること。【解決手段】端子装置１は、ケース２と速結端子３とを備え、分電盤１３のボックス５内に取り付けられる。ケース２は、箱型に形成され前端部に１乃至複数の挿通孔２３が貫設される。速結端子３は、挿通孔２３と各々対向してケース２内に配設され、挿通孔２３を介して入線される電線７を鎖錠接続する。そして、ケース２の前端部は、ボックス５内の底面の法線方向に対する傾斜角度θが０°＜θ＜９０°の範囲内で設定されて形成される。つまり、従来のように電線７を略Ｕ字状になるほど捻じ曲げる必要がなく、電線７の曲率半径が大きくなる。従って、ケース２が入線された電線７から受ける応力を抑制することができ、ケース２が分電盤１３のボックス５から外れてしまう不具合を防ぐことができる。【選択図】図１
2011082105.tif 000002
【特許請求の範囲】
【請求項１】
分電盤のボックス内に取り付けられる端子装置であって、箱型に形成され一端部に１乃
至複数の挿通孔が貫設されるケースと、挿通孔と各々対向してケース内に配設され挿通孔
を介して入線される電線を鎖錠接続する速結端子と、を備え、ケースの前記一端部は、ボ
ックス内の底面の法線方向に対する傾斜角度θが０°＜θ＜９０°の範囲内で設定されて
形成されることを特徴とする端子装置。
【請求項２】
ケースの前記一端部に貫設される差込口にマイナスドライバ等の工具の先端が挿入され
ることで前記鎖錠接続を解除する解除手段を備え、前記差込口は、ボックス内の底面に対
して挿通孔より離れた位置に配設されることを特徴とする請求項１記載の端子装置。
【請求項３】
請求項１または２の端子装置と、端子装置が取り付けられるボックスと、を備えた分電
盤であって、ボックスには外部から電線を内部に引き込むための配線口が貫設され、端子
装置は、ボックスの一側面近傍にてケースの前記一端部が当該一側面側に傾斜するように
配設されることを特徴とする分電盤。
【発明の詳細な説明】
【技術分野】
【０００１】
本発明は、ネジによらずに電線を接続する、所謂速結の端子装置、並びにそのような端
子装置が取り付けられる分電盤に関するものである。
【背景技術】
【０００２】
従来より、ネジによらずに電線の接続を可能にした、所謂速結の端子装置が提供されて
いる（例えば、特許文献１参照）。この様な端子装置は、箱型に形成され一端部に１乃至
複数の挿通孔が貫設されるケースと、挿通孔と各々対向してケース内に配設され挿通孔を
介して入線される電線を鎖錠接続する速結端子とを備える。そして、端子装置は、分電盤
のボックス内に取り付けられ、分電盤の各分岐ブレーカより配電される電源コンセントの
アース端子と電線を介して電気的に接続されることで、電源コンセントに接続される電気
機器の接地を行っている。
【０００３】
ところで、このような端子装置の一例として、図７に示すような端子装置９０がある。
端子装置９０は、図７に示すようにケース９１と速結端子（図示せず）と保持台９２とを
備える。ケース９１は、複数の挿通孔（図示せず）が貫設されるケース９１の一端部を前
方（図中の右方）に向けながら、略帯板状に形成された保持台９２に取り付けられる。保
持台９２は、分電盤のボックス９３内の底面に設置され複数の分岐ブレーカ９４が固定さ
れる基台９５の下部にネジ止めされている。ここでボックス９３は、扁平な箱型に形成さ
れてケース９１の前記一端部と対向する前端部が開口するとともに、当該開口の下方周縁
部には当該開口を開閉自在に閉塞するように扉９６が枢支される。また、ボックス９３に
は外部から電線９７を内部に引き込むための配線口（図示せず）が貫設される。
【０００４】
そして、ボックス９３の図示しない前記配線口より引き込まれた電線９７は、図７に示
すように略Ｕ字状に捻じ曲げられた後に、電線９７の一端部より露出する芯線先端が図示
しない前記挿通孔を通じてケース９１内に入線されて図示しない速結端子により鎖錠接続
される。
【先行技術文献】
【特許文献】
【０００５】
【特許文献１】特開２０００−２４３４８３号公報
【発明の概要】
【発明が解決しようとする課題】
【０００６】
しかしながら、従来の端子装置９０は、ボックス９３の前記配線口より引き込まれた電
線９７を鎖錠接続する際に、扉９６を開けて開口する前端部から電線９７を手で略Ｕ字状
に捻じ曲げて、それから上方を向くケース９１の一端部に配設される前記挿通孔に挿入す
る必要があるため、施工時の配線作業が困難であり、またケース９１が電線９７の捻じ曲
げにより発生した応力を受けてボックス９３から外れてしまう恐れがあった。
【０００７】
本発明は上記事由に鑑みて為されたものであり、その目的は、ケースが分電盤のボック
スから外れてしまう不具合を防ぐことができる端子装置を提供することにある。
【課題を解決するための手段】
【０００８】
請求項１の発明は、上記目的を達成するために、分電盤のボックス内に取り付けられる
端子装置であって、箱型に形成され一端部に１乃至複数の挿通孔が貫設されるケースと、
挿通孔と各々対向してケース内に配設され挿通孔を介して入線される電線を鎖錠接続する
速結端子と、を備え、ケースの前記一端部は、ボックス内の底面の法線方向に対する傾斜
角度θが０°＜θ＜９０°の範囲内で設定されて形成されることを特徴とする。
【０００９】
この発明によれば、ケースの前記一端部は、ボックス内の底面の法線方向に対する傾斜
角度θが０°＜θ＜９０°の範囲内で設定されて形成されるので、従来のように電線を略
Ｕ字状になるほど捻じ曲げる必要がなく電線の曲率半径が大きくなり、ケースが入線され
た電線から受ける応力を抑制することができる。従って、施工時の配線作業が容易で且つ
ケースが分電盤のボックスから外れてしまう不具合を防ぐことができる。
【００１０】
請求項２の発明は、請求項１の発明において、ケースの前記一端部に貫設される差込口
にマイナスドライバ等の工具の先端が挿入されることで前記鎖錠接続を解除する解除手段
を備え、前記差込口は、ボックス内の底面に対して挿通孔より離れた位置に配設されるこ
とを特徴とする。
【００１１】
この発明によれば、前記差込口は、ボックス内の底面に対して挿通孔より離れた位置に
配設されるので、工具の先端を前記差込口に挿入して前記鎖錠接続を解除する際に挿通孔
より入線される電線が邪魔になることがなく作業性に優れている。
【００１２】
請求項３の発明は、請求項１または２の端子装置と、端子装置が取り付けられるボック
スと、を備えた分電盤であって、ボックスには外部から電線を内部に引き込むための配線
口が貫設され、端子装置は、ボックスの一側面近傍にてケースの前記一端部が当該一側面
側に傾斜するように配設されることを特徴とする。
【００１３】
この発明によれば、端子装置は、ボックスの一側面近傍にてケースの前記一端部が当該
一側面側に傾斜するように配設されるので、ボックスの配線口より引き込まれて当該一側
面近傍に沿って引き回されてきた電線に対して、曲率半径を大きくして端子装置に容易に
接続することができる。
【発明の効果】
【００１４】
本発明では、施工時の配線作業が容易で且つケースが分電盤のボックスから外れてしま
う不具合を防ぐことができるという効果がある。
【図面の簡単な説明】
【００１５】
【図１】本発明の実施形態の右側面図である。
【図２】同上におけるケースの分解斜視図である。
【図３】（ａ）は同上における端子板の斜視図で、（ｂ）は同上におけるベースの斜視図である。
【図４】同上におけるケースの断面図である。
【図５】同上における鎖錠接続を解除する際のケースの断面図である。
【図６】同上における説明図である。
【図７】従来の端子装置の一例の右側面図である。
【発明を実施するための形態】
【００１６】
以下、本発明の実施形態について、図１〜図６を参照して説明する。尚、以下の説明で
は、図２において上下左右前後方向を規定している。本実施形態の端子装置１は、図１及
び図２に示すように、ケース２と速結端子３と保持台４とを備える。また、本実施形態の
分電盤１３は、図１に示すようにボックス５と扉６と複数の分岐ブレーカ１６とボックス
５の底面に設置されて分岐ブレーカ１６が固定される基台１７とを備える。
【００１７】
ボックス５は、図１に示すように扁平な箱型に形成されて前端部が開口しており、扉６
は当該開口を開閉自在に閉塞するように枢支される。また、ボックス５には外部から電線
７を内部に引き込むための配線口（図示せず）が貫設される。そして、端子装置１はボッ
クス５内の基台１７の下部に取り付けられる。尚、分岐ブレーカ１６は、一般的な分電盤
に設置されるものと同様に交流電源を分電するとともに、過電流が流れると導通状態から
非導通状態へと回路を遮断する遮断機構を備える。
【００１８】
以下、端子装置１について説明する。ケース２は、図１〜図４に示すように全体として
左右方向に延びる細長の矩形箱に形成されており、絶縁性材料により形成され後面が開口
する箱型のカバー２１と、金属材により矩形板状に形成されカバー２１の開口を塞ぐよう
に取り付けられるケース２の底部たるベース２２とから構成される。カバー２１の前壁部
２１ａには、図２及び図４に示すように上下方向中心部よりやや上方寄りに左右方向に亘
って６個の挿通孔２３が等間隔に貫設される。また、各挿通孔２３からやや右寄りの上方
には差込口２４が貫設される。
【００１９】
カバー２１の上壁部２１ｂ及び下壁部２１ｃの後端部には、図２に示すように保持台４
に着脱自在に取り付けるための４つの係合部２５（図２中では上壁部２１ｂ側の２つのみ
図示）が各々外側に向かって突設される。上壁部２１ｂ及び下壁部２１ｃの後部には係合
部２５以外に内部に貫通する係止孔（図示せず）が左右方向に並設されている。カバー２
１の左壁部２ｄ及び右壁部２ｅの後方周縁部には、図２に示すように前方へ窪んでなる凹
部２６が各々設けられている（図中では左壁部２ｄ側のみ図示）。また、カバー２１内側
には内部空間を６等分するように５つのリブ（図示せず）が左右方向に並設される。
【００２０】
ベース２２は、図２、図３（ｂ）及び図４に示すように矩形板状に形成された底部２２
ａと、底部２２ａの上下両端部から左右方向に亘って互いに対向するように前方へ延びる
上起立部２２ｂ及び下起立部２２ｃと、を備え、左右方向から見たときに前方が開口する
コ字形状に形成されてなる。上起立部２２ｂ及び下起立部２２ｃ前部には、互いに対向す
るように前方へ延びる６つの突起片９、並びに６つの凸部１０が左右方向に並設される。
また、上起立部２２ｂ及び下起立部２２ｃの外面後部には、上述したカバー２１の図示し
ない係止孔に係止するための爪部（図示せず）が突設される。
【００２１】
底部２２ａの左右両端部には、各々外側に延出した後に前方へ曲折され更に外側へ折り
返してなる一対の延出片８，８が配設され、その端部には孔部８ａ，８ａが各々貫設され
る。尚、延出片８，８は、互いの外側へ折り返される端部の前後方向に対する位置が、延
出片８の厚さ幅程度だけ異なるよう設定されている。そして、ベース２２には前方から後
述する端子板３２が装着される。
【００２２】
速結端子３は、図２、図３（ａ）及び図４に示すように６個の錠ばね３１と端子板３２
とから構成される。錠ばね３１は、弾性を有する導電性材料によって形成された帯板の中
央部たる中央片３１ａと、帯板の前端部が略Ｌ字形状に曲折されることで中央片３１ａと
の距離を広げるように傾斜する鎖錠片３１ｂと、前記帯板の後端部が略Ｓ字形状に曲折さ
れることで中央片３１ａの厚み方向に弾性を有する押圧片３１ｃとから構成される。尚、
錠ばね３１の左右方向の寸法は上述した凸部１０の左右方向の寸法と略等しく、且つ突起
片９及びその右横に窪んで形成される挿入口１５の両方を合わせた左右方向の寸法と略等
しく設定している。
【００２３】
端子板３２は、図２、図３（ａ）及び図４に示すように導電性を有する金属材により矩
形板状に形成された基部３２ａと、基部３２ａの上端部から左右方向に亘って前方へ延び
る立設部３２ｂとを備え、左右方向から見たときにＬ字形状に形成されてなる。立設部３
２ｂ前部には、前方へ延びる６つの端子片３２ｃが左右方向に並設される。尚、端子片３
２ｃの左右方向の寸法は上述した突起片９の左右方向の寸法と略等しく設定している。
【００２４】
基部３２ａの左右両端部には、ベース２２と同様に各々外側に延出した後に前方へ曲折
され更に外側へ折り返してなる一対の連結片１１，１１が配設され、その端部には孔部１
１ａ，１１ａが各々貫設される。連結片１１の上下両端部には後方へ延出して更に内側へ
突出する略鉤形の係合爪１１ｂ，１１ｂが設けられている。尚、連結片１１，１１は、上
述の延出片８，８と同様に互いの外側へ折り返される端部の前後方向に対する位置が、延
出片８の厚さ幅程度だけ異なるよう設定されている。
【００２５】
保持台４は、図１に示すように全体として左右方向に細長の略三角柱形状に形成されて
なり底板部４１と、嵌合部４２とから構成される。底板部４１は、図１に示すように左右
方向から見たときに三角形状に形成され、底板部４１の傾斜面４１ａは、底板部４１の背
面４１ｂの法線方向に対する傾斜角度θが０°＜θ＜９０°の範囲内で設定されて形成さ
れる（図示例では約６０°）。そして、傾斜面４１ａには、図１に示すように左右方向か
ら見たときにコ字形状に形成されてケース２が嵌合する嵌合部４２が配設される。尚、保
持台４は、底板部４１の背面４１ｂを基台１７下部に当接させてネジ止めより固定される
。但し、このとき保持台４は、傾斜面４１ａがボックス５の下側面側に傾斜するように配
設される。
【００２６】
以下、上述の様なケース２及び速結端子３の組立て手順について説明する。先ず、端子
板３２をベース２２に前方から取り付ける。すなわち、端子板３２の基部３２ａをベース
２２の底部２２ａに当接させて、６つの端子片３２ｃが６つの突起片９と各々対向するよ
うに立設部３２ｂを上起立部２２ｂの内面に当接させる。そして、端子板３２の連結片１
１，１１を延出片８，８に対して押圧することで、係合爪１１ｂ、１１ｂは、延出片８，
８の上下両端部に当接して弾性変形により外側へ撓ませた後に弾性復帰力により延出片８
，８の前記両端部と各々係合する。これにより連結片１１，１１が延出片８，８前面の略
全体を被覆するように取り付けられ、端子板３２はベース２２に装着される。
【００２７】
続いて図２に示すように６個の錠ばね３１を端子板３２が装着されたベース２２の開口
内に向かって挿入する。このとき、錠ばね３１の中央片３１ａをベース２２の下起立部２
２ｃに当接させて、且つ鎖錠片３１ｂ及び押圧片３１ｃを図４に示すように所望の隙間１
２を空けて端子板３２の端子片３２ｃ及び挿入口１５に各々対向させる。そして、互いの
長手方向を揃えながらカバー２１をベース２２に向かって降ろす。すると、上述したベー
ス２２の図示しない爪部は、カバー２１の上壁部２１ｂ及び下壁部２１ｃを外側へ撓ませ
ながらカバー２１の開口内に挿入される。また、カバー２１内側の図示しない５つのリブ
は、隣り合う錠ばね３１，３１の間にある隙間と隣り合う凸部１０，１０の間にある隙間
とに嵌入して６個の錠ばね３１の左右方向への傾きを防止している。底部２２ａ及び基部
３２ａの左右両端部は、カバー２１の凹部２６，２６に各々嵌合する。そして、上壁部２
１ｂ、及び下壁部２１ｃの弾性復帰力により図示しない係止孔に前記爪部が各々係止する
。前記係止によりカバー２１とベース２２とが結合して、図４に示すように隙間１２の前
方に挿通孔２３が配置するように速結端子３がケース２内に収納される。但し、連結片１
１，１１はケース２の左右両端後部から外部に延出される。
【００２８】
ケース２内に収納された速結端子３は、図４に示すように分電盤１３のボックス５の図
示しない配線口を介して引き込まれる電線７を鎖錠接続する。すなわち、電線７の一端部
より露出する芯線先端を前後方向に沿って挿通孔２３に挿通すると、芯線先端は各々ケー
ス２内で対応する錠ばね３１の押圧片３１ｃによって端子片３２ｃに押し当てられるとと
もに、鎖錠片３１ｂが芯線先端に食い込んで係止することにより鎖錠接続される。電線７
の他端部は、ボックス５内に配設される分岐ブレーカ１６と対応する電源コンセント（図
示せず）のアース端子に接続される。尚、本実施形態の端子装置１は、図５に示すように
ケース２の差込口２４、及び挿入口１５を通じてマイナスドライバ１８の先端を挿入して
鎖錠片３１ｂの右端を後方に押圧することで、前記鎖錠接続を解除して電線７をケース２
から引き外すことができる。
【００２９】
そして、上述のように組立てられたケース２は、図１に示すようにボックス５内の基台
１７にネジ止め固定される保持台４に対して、前方からケース２の後端部を嵌合部４２の
開口に嵌合して、ケース２の４つの係合部２５が嵌合部４２の開口内側に配設される被係
合部（図示せず）と係合することで取り付けられる。ここで保持台４の左右方向寸法（図
１中の奥行き寸法）は、複数個分のケース２の左右方向寸法と略等しくして、上記の被係
合部も左右方向に沿って複数配設されていて、１つの保持台４に対して長手方向に沿って
複数個のケース２を互いに連結させて取り付けることができる。具体的に説明すると、隣
接し合うケース２，２において、互いの連結片１１，１１に貫設される孔部１１ａ，１１
ａ、及び延出片８，８に貫設される孔部８ａ，８ａの中心部の位置合わせを行って、これ
らの４つの孔部に挿通するボルト（図示せず）をナット（図示せず）に螺合することで連
結させることができる。このとき隣接し合うケース２，２同士は前記連結により機械的な
接続だけでなく電気的な接続もなされる。また、上述した通りケース２の左右両端にある
連結片１１及び延出片８の前後方向に対する位置が互いに異なるように設定されているの
で、前記連結時に隣接し合うケース２，２の前端部（カバー２１の前壁部２１ａ）同士を
互いに面一とすることができる。
【００３０】
以下、本実施形態の端子装置１の作用について説明する。本実施形態のケース２の挿通
孔２３が貫設される前端部（カバー２１の前壁部２１ａ）は、図１に示すように保持台４
の傾斜面４１ａを介してボックス５内の底面の法線方向に対する傾斜角度θが０°＜θ＜
９０°の範囲内で設定されて形成される。つまり、従来のように電線７を略Ｕ字状になる
ほど捻じ曲げる必要がなく電線７の曲率半径が大きくなり、ケース２が電線７から受ける
応力を抑制することができる。従って、施工時の配線作業が容易となり、且つケース２が
分電盤１３のボックス５から外れてしまう不具合を防ぐことができる。また、本実施形態
の差込口２４は、ボックス５内の底面に対して挿通孔２３より離れた位置に配設されるの
で、図６に示すようマイナスドライバ１８の先端を差込口２４に挿入して鎖錠接続を解除
する際に挿通孔２３より入線される電線７が邪魔になることがなく作業性に優れている。
【００３１】
特に、本実施形態の分電盤１３は、図１や図６に示すようにボックス５の下側面近傍に
てケース２の前端部が当該下側面側に傾斜するように配設されるので、ボックス５の図示
しない配線口より引き込まれて当該下側面近傍に沿って引き回されてきた電線７に対して
曲率半径を大きくして端子装置１に容易に接続することができる。
【００３２】
ところで、本実施形態の端子装置１は、ケース２と保持台４とに分かれて構成されるが
この限りではなく、ケース２自体が左右方向から見たときに略台形状に形成されて、ケー
ス２の前端部が当該下側面側に傾斜するようにボックス５内に直接ネジ止め固定されるも
のであってもよい。
【符号の説明】
【００３３】
１  端子装置
２  ケース
３  速結端子
４  保持台
５  ボックス
６  扉
７  電線
１３  分電盤
２３  挿通孔
【図１】
2011082105.tif 000003
【図２】
2011082105.tif 000004
【図３】
2011082105.tif 000005
【図４】
2011082105.tif 000006
【図５】
2011082105.tif 000007
【図６】
2011082105.tif 000008
【図７】
2011082105.tif 000009